(57)【要約】【課題】非使用時は小径の筒状であり、使用時には自動的に傘状に広がる構造の巻き込み式自動開き傘体を提供する。【解決手段】３枚以上の可撓性の扇形板体１，２の隣接する側部同士を、連結具７の回りに回転自在に連結した巻き込み式自動開き傘体。扇形板体１，２には、連結具７を中心とする円弧状のガイド溝５を形成し、当該扇形板体１，２の側部に、隣接する扇形板体２，１のガイド溝５に挿通される突片６を形成する。この傘体は、反射鏡、パラボラアンテナ、日傘または雨傘等、収納時にはコンパクトで使用時には円錐形状に自動的に開く用途に適用することができる。【選択図】　　　　　図１
2004004353.tif 000002
【特許請求の範囲】
【請求項１】
３枚以上の可撓性の扇形板体の隣接する側部同士を、連結部の回りに回転自在に連結したことを特徴とする巻き込み式自動開き傘体。
【請求項２】
前記扇形板体に、前記連結部を中心とする円弧状のガイド溝を形成し、当該扇形板体の側部に、隣接する扇形板体の前記ガイド溝に挿通される突片を形成したことを特徴とする請求項１記載の巻き込み式自動開き傘体。
【請求項３】
扇形板体を光反射板で構成して反射鏡とした請求項１または２に記載の巻き込み式自動開き傘体。
【請求項４】
扇形板体を電波反射板で構成してパラボラアンテナとした請求項１または２に記載の巻き込み式自動開き傘体。
【請求項５】
扇形板体を耐候性として日傘または雨傘とした請求項１または２に記載の巻き込み式自動開き傘体。
【発明の詳細な説明】
【０００１】
【発明の属する技術分野】
本発明は、巻き込んだときは円筒状になり、開いたときに傘状になる、例えば反射鏡、パラボラアンテナ、日傘、雨傘として利用できる巻き込み式自動開き傘体に関する。
【０００２】
【従来の技術】
使用状態で傘状になる反射鏡やパラボラアンテナ、日傘、雨傘は、広い面積をカバーすることがそれぞれの目的を果たす上で効率的であるが、非使用状態ではできるだけコンパクトになることが好ましい。
例えばカメラのストロボの反射鏡として、複数枚重ねた三角形状のセグメントを円周方向に開いていくと傘状になるものがある。これは、折り畳むとコンパクトになり、携帯時に嵩張らないが、自動的に開く構造にはなっていない。
日傘や雨傘は、畳むとコンパクトになり、自動開きも可能であるが、骨とコイル状のスプリングが必要であり、構成部品点数も多くなる。
【０００３】
【発明が解決しようとする課題】
以上のような反射鏡や傘は、例えば、電球のガラス管内に反射鏡を納めようとする場合、ガラス管の口は狭いので、広い反射鏡を狭い口から入れることはできない。したがって、ガラス管の口に挿入するときは小径の筒状になり、ガラス管の口を通過した後で自動的に広がって大口径の反射鏡になるような構造が望まれる。
【０００４】
本発明が解決しようとする課題は、非使用時は小径の筒状であり、使用時には自動的に傘状に広がる構造の巻き込み式自動開き傘体を提供することにある。
【０００５】
【課題を解決するための手段】
前記課題を解決するため、本発明の巻き込み式自動開き傘体は、３枚以上の可撓性の扇形板体の隣接する側部同士を、連結部の回りに回転自在に連結したものである。
【０００６】
この構成により、連結部を支点として各扇形板体を巻き込むと全体が筒状になり、コンパクトになる。巻き込む力を開放すると、可撓性の扇形板体の復元力で連結部を支点として広がる力が作用し、全体が傘状に広がる。
【０００７】
扇形板体に、連結部を中心とする円弧状のガイド溝を形成し、当該扇形板体の側部に、隣接する扇形板体の前記ガイド溝に挿通される突片を形成し、突片をガイド溝に挿通して折り曲げることにより、扇形板体同士の重なり部が密着し、全体としてきれいな曲面となる。
【０００８】
本発明の巻き込み式自動開き傘体は、扇形板体を光反射板で構成することにより反射鏡として適用することができる。
また、扇形板体を電波反射板で構成することにより、パラボラアンテナとして適用することができる。
さらに、扇形板体を耐候性とすることにより、日傘または雨傘として適用することができる。
【０００９】
【発明の実施の形態】
以下、本発明の実施の形態を、図面を用いて説明する。
【００１０】
＜第１実施形態＞
第１実施形態は、本発明を反射鏡として適用する場合の例を示すものである。図１は組み立て状態の斜視図、図２は広げた状態と巻き込んだ状態の正面図、図３は第１扇形板体の展開図、図４は第２扇形板体の展開図である。
【００１１】
これらの図において、広げた状態で円錐形となる反射鏡１０は、４枚のバネ鋼製の扇形板体からなっており、図３に展開図を示すように銀杏葉形の第１の扇形板体１と、図４に展開図を示すように固定脚片３を設けた第２の扇形板体２の２種類の形状を有している。第１および第２の両扇形板体１，２は、連結具を装着するための連結孔４と、片方の連結孔４を中心とする円弧状のガイド溝５と、隣接する扇形板体のガイド溝５に挿通される折り曲げ可能な突片６とを有している。
【００１２】
２枚の第１の扇形板体１と２枚の第２の扇形板体２とはそれぞれ対向した状態で連結孔４に鳩目のような連結具７を通して連結することにより、図１に示すように組み立てられる。各扇形板体１，２のガイド溝５に、突片６を差し込んで下側に折り曲げると、各扇形板体１，２は側部同士の重なり部が密着する。通常は、第１および第２の両扇形板体１，２はそれ自体の弾性で、平面状になろうとする力が作用するが、連結具７および突片６が差し込まれるガイド溝５の形成角度により変形の限界が規制されているため、円錐形状となる。
【００１３】
この円錐形状の状態から筒状に巻き込むには、各扇形板体１，２の上部（開放側）を内側に縮めるように丸め込むと、各扇形板体１，２は連結具７を中心として開放側が互いに回り込み、最終的に、図２の一点鎖線で示すように筒状となる。この筒状になった状態では、外力を開放すると実線の円錐形状に復元しようとするので、筒状を保持するには、連結具７よりも上部を紐等で縛るか、外筒（図示せず）を外側に嵌め込んで復元しないようにする。
【００１４】
筒状の状態から円錐形状に戻すには、紐等を解くか、外筒を外せば扇形板体１，２の復元力で自動的に円錐形状に広がる。
【００１５】
図５は、本発明を集魚灯に反射鏡を取り付ける場合について適用した例を示すものである。集魚灯は、発光管１２を保護する外球管１１と、発光管１２の支持と電極への配線を行うステー１３が口金部１４に固定されたユニットを封入口１１ａから装入し、封入口１１ａを封止して作られる。
【００１６】
この外球管１１内に発光管１２から放射される光を反射鏡１０によって水平方向に集めるような構造とする場合、図５（ａ）に示すように、ステー１３の下部に、反射鏡１０の固定脚片３を固定し、反射鏡１０を筒状に巻き込んだ状態で結束リング９で開きを止めて封入口１１ａから装入する。反射鏡１０の先端部が封入口１１ａを通過したら、結束リング９を外し、ステー１３をさらに装入すると、図５（ｂ）に示すように反射鏡１０は外球管１１の内部で規定の大きさに広がる。その状態で封入口１１ａを口金部１４に封止すれば、内部に反射鏡１０が広がった集魚灯を得ることができる。
【００１７】
＜第２実施形態＞
図６は本発明をパラボラアンテナに適用した第２実施形態を示すもので、（ａ）は使用状態、（ｂ）は収納状態を示している。
本実施形態では、広げた状態で円錐形となるパラボラアンテナ２０は、図３に示したバネ鋼製の扇形板体１を４枚、互いに鳩目のような連結具７で連結したものである。通常は、扇形板体１はそれ自体の弾性で、平面状になろうとする力が作用するが、連結具７および突片６が差し込まれるガイド溝５の形成角度により変形の限界が規制されているため、放物面に近い形状となる。このパラボラアンテナ２０の焦点に電波のアンテナ素子を配置することで、組み立て式の電波送受信装置とすることができる。
【００１８】
このパラボラアンテナ２０を収納する場合は、各扇形板体１の開放側を内側に縮めるように丸め込むと、各扇形板体１は連結具７を中心として開放側が互いに回り込み、最終的に、図６（ｂ）に示すように筒状となる。この筒状になった状態で、４点の連結具７を結ぶ円の径よりも若干大径のガイドリング２１を嵌め込むと、筒状の状態を保持することができる。
【００１９】
＜第３実施形態＞
図７は本発明を傘に適用した第３実施形態を示すもので、（ａ）は使用状態、（ｂ）は収納状態を示している。
本実施形態では、傘３０は、パイプ状の軸３１の先端に、図４に示した耐候性のプラスチックの扇形板体２を所要枚数、互いに鳩目のような連結具７で連結したものを、固定脚片３（図４参照）で固定したもので、頂部にはキャップ３２を被せている。軸３１の基端部には柄を兼ねた収納筒３３が取り付けられており、軸３１を引っ張る引き紐３４が設けられている。
【００２０】
この傘３０を収納する場合は、各扇形板体２の開放側を内側に縮めるように丸め込むと、各扇形板体２は連結具７を中心として開放側が互いに回り込み、筒状となる。この筒状になった状態で、引き紐３４を引いて軸３１を縮めると、図７（ｂ）に示すように、筒状になった各扇形板体２を収納筒３３内に収納することができる。
【００２１】
収納筒３３内に、スプリング（図示せず）を設けておくと、傘３０の使用時には、つまみ（図示せず）を押すことでスプリングの圧縮力を解き、軸３１を飛び出させることで、図７（ａ）の状態に開くことができる。
【００２２】
【発明の効果】
本発明によれば、３枚以上の可撓性の扇形板体の隣接する側部同士を、連結部の回りに回転自在に連結したことにより、連結部を支点として各扇形板体を巻き込むと全体が筒状になり、コンパクトになる。これにより、構成部品点数が少なくシンプルで故障の少ない巻き込み式自動開き傘体を実現することができる。
扇形板体に、連結部を中心とする円弧状のガイド溝を形成し、当該扇形板体の側部に、隣接する扇形板体の前記ガイド溝に挿通される突片を形成し、突片をガイド溝に挿通して折り曲げることにより、扇形板体同士の重なり部が密着し、全体としてきれいな曲面の傘体となる。
本発明は、反射鏡、パラボラアンテナ、日傘または雨傘等、収納時にはコンパクトで使用時には円錐形状に自動的に開く用途に適用することができる。
【図面の簡単な説明】
【図１】本発明の実施形態における組み立て状態の斜視図である。
【図２】本発明の実施形態における広げた状態と巻き込んだ状態の正面図である。
【図３】本発明の実施形態における第１の扇形板体の展開図である。
【図４】本発明の実施形態における第２の扇形板体の展開図である。
【図５】本発明を集魚灯に適用した例を示す説明図である。
【図６】本発明をパラボラアンテナに適用した例を示す説明図である。
【図７】本発明を傘に適用した例を示す説明図である。
【符号の説明】
１　第１の扇形板体
２　第２の扇形板体
３　固定脚片
４　連結孔
５　ガイド溝
６　突片
７　連結具
９　結束リング
１０　反射鏡
１１　外球管
１１ａ　封入口
１２　発光管
１３　ステー
１４　口金部
２０　パラボラアンテナ
２１　ガイドリング
３０　傘
３１　軸
３２　キャップ
３３　収納筒
３４　引き紐
【図１】
2004004353.tif 000003
【図２】
2004004353.tif 000004
【図３】
2004004353.tif 000005
【図４】
2004004353.tif 000006
【図５】
2004004353.tif 000007
【図６】
2004004353.tif 000008
【図７】
2004004353.tif 000009